(57)【特許請求の範囲】
【請求項１】
一端が厨房機器の底部にねじ込まれる金属製のボルト軸と、上記ボルト軸の他端にねじ込まれる雌ねじ孔を有し、被設置面上に設置されるアジャストナットと、上記アジャストナットを含む上記ボルト軸の外周面の一部を覆い隠すように上記ボルト軸に一体的に取り付けられた合成樹脂製のカバーとを備え、上記アジャストナットを回して上記厨房機器と被設置面との間の相対的な高さ位置を調節する厨房機器用取付脚において、
上記ボルト軸には、上記カバーを固定するための円盤状をなすフランジ部が設けられており、上記カバーは、上記フランジ部に一体成型される固着部を有し、
上記固着部は、上記フランジ部の上記被設置面と対向する下面側に固着される第１フランジ固着部と、上記フランジ部の上記厨房機器と対向する上面側に固着される第２フランジ固着部とを含み、
上記フランジ部の半径方向の端面は、厚さ方向の中心を頂部として上記フランジ部の下面および上面に向かって半径方向の長さが漸次短くなる凸曲面を呈する円弧状に形成されており、
上記第２フランジ固着部が、上記凸曲面の頂部から上記フランジ部の上面にかけて設けられているのに対して、上記第１フランジ固着部は、上記凸曲面の頂部と上記凸曲面の下端部との間に設けられており、上記フランジ部の上記下面は、その地肌が露出していることを特徴とする厨房機器用取付脚。
【発明の詳細な説明】
【技術分野】
【０００１】
本発明は、業務用冷蔵庫などの厨房機器に取り付けられる厨房機器用取付脚に関し、さらに詳しく言えば、廃棄時にパーツ毎に分解しやすい厨房機器用取付脚に関する。
【背景技術】
【０００２】
業務用大型冷蔵庫やコールドテーブルなどの厨房機器には、水平を保つための高さ調節機構を備えた専用の脚が取り付けられる。例えば特許文献１に記載されているように、この厨房機器用取付脚は、厨房機器の底部にねじ込まれるボルト軸を有し、ボルト軸の他端にねじ込まるアジャストナットを回転させることによって、厨房機器と被設置面との間の相対的な位置（高さ）を調節するようになっている。
【０００３】
ところで、従来より厨房機器用取付脚には、ボルト軸やアジャストナットの汚損防止や、ボルト軸のねじ山を傷めないようにするための保護カバーがボルト軸の外周面を覆い隠すように設けられている。
【０００４】
この保護カバーは、合成樹脂製で厨房機器の底面を受け止める水平面からボルト軸の上端部が突出するように設けられており、ボルト軸の上端を厨房機器にねじ込むことによって、アジャストナットを含むボルト軸の外周を覆い隠すことができる。
【０００５】
【特許文献１】特開２００４−６８９０３号公報
【発明の開示】
【発明が解決しようとする課題】
【０００６】
ところで、厨房機器の廃棄に伴い使用済みとなった厨房機器用取付脚は、厨房機器から取り外され、各パーツ毎に分解されて廃棄される。
【０００７】
しかしながら、従来の保護カバーはボルト軸に設けられたフランジ部にインサート成形によって一体的に形成されているため、保護カバーをボルト軸から取り外すには特殊なカッターなどを用いてボルト軸ごと分割するなど、非常に手間がかかり面倒であった。
【０００８】
そこで、本発明は上述した課題を解決するためになされたものであって、その目的は、廃棄時に各パーツ毎に分解しやすい厨房機器用取付脚を提供することにある。
【課題を解決するための手段】
【０００９】
本発明は、上述した目的を達成するため、一端が厨房機器の底部にねじ込まれる金属製のボルト軸と、上記ボルト軸の他端にねじ込まれる雌ねじ孔を有し、被設置面上に設置されるアジャストナットと、上記アジャストナットを含む上記ボルト軸の外周面の一部を覆い隠す合成樹脂製のカバーとを備え、上記アジャストナットを回して上記厨房機器と被設置面との間の相対的な高さ位置を調節する厨房機器用取付脚において、上記ボルト軸には、上記カバーを固定するための円盤状をなすフランジ部が設けられており、上記カバーは、上記フランジ部に一体成型される固着部を有し、上記固着部は、上記フランジ部の上記被設置面と対向する下面側に固着される第１フランジ固着部と、上記フランジ部の上記厨房機器と対向する上面側に固着される第２フランジ固着部とを含み、上記フランジ部の半径方向の端面は、厚さ方向の中心を頂部として上記フランジ部の下面および上面に向かって半径方向の長さが漸次短くなる凸曲面を呈する円弧状に形成されており、上記第２フランジ固着部が、上記凸曲面の頂部から上記フランジ部の上面にかけて設けられているのに対して、上記第１フランジ固着部は、上記凸曲面の頂部と上記凸曲面の下端部との間に設けられており、上記フランジ部の上記下面は、その地肌が露出していることを特徴としている。
【発明の効果】
【００１０】
本発明によれば、上記合成樹脂製のカバーは、上記金属製のボルト軸のフランジ部に対する固着部として、フランジ部の被設置面と対向する下面側に固着される第１フランジ固着部と、フランジ部の厨房機器と対向する上面側に固着される第２フランジ固着部とを含み、上記フランジ部の半径方向の端面は、厚さ方向の中心を頂部としてフランジ部の下面および上面に向かって半径方向の長さが漸次短くなる凸曲面を呈する円弧状に形成されており、第２フランジ固着部が、凸曲面の頂部からフランジ部の上面にかけて設けられているのに対して、第１フランジ固着部は、凸曲面の頂部と凸曲面の下端部との間に設けられていることにより、カバーを固定した状態でボルト軸をハンマーなどで叩くことにより、ボルト軸からカバーを簡単に分離することができる。
【００１１】
また、上記フランジ部の下面は、その地肌が露出していることにより、その分、合成樹脂の使用量を減らすことができる。さらには、フランジ部の端面が円弧状に形成されていることにより、ボルト軸の打抜時に係る力を効果的にカバーとフランジ部の界面に加えることができるばかりでなく、フランジからの抜けもスムーズに行うことができる。
【発明を実施するための最良の形態】
【００１２】
次に、本発明の具体的な実施形態について図面を参照しながら説明するが、本発明はこの限りではない。図１（ａ）および（ｂ）は、本発明の一実施形態に係る厨房機器用取付脚の部分正面断面図および平面図であり、図２（ａ），（ｂ）は、ボルト軸のフランジ部を拡大した正面図および平面図である。
【００１３】
図３（ａ），（ｂ）は、カバー部のフランジ固着部の実施例および変形例を表す要部拡大断面図であり、図４は、ボルト軸とカバーの取り外し方法を説明する説明図である。
【００１４】
図１に示すように、この厨房機器用取付脚１は、上端が図示しない厨房機器に設けられたネジ孔にねじ込まれるボルト軸２と、同ボルト軸２の下端にねじ込まれ、図示しない被接地面上に設置されるアジャストナット３と、アジャストナット３を含むボルト軸２の外周面を覆い隠すようにボルト軸２に同軸的に取り付けられるカバー４とを備えている。
【００１５】
ボルト軸２は、１本の金属製ボルトであり、上端側には厨房機器側のネジ孔にねじ込まれる上部雄ネジ２１が形成されている。ボルト軸２の下端側には、アジャストナット３がねじ込まれる下部雄ネジ２２が形成されている。上部雄ネジ２１および下部雄ネジ２２のネジ径やピッチは、仕様や規格に応じて任意に変更される。
【００１６】
上部雄ネジ２１と下部雄ネジ２２の間には、フランジ部２３が一体的に設けられている。図２（ａ）および（ｂ）に示すように、フランジ部２３は、ボルト軸２の軸線を中心に同軸的な円盤状を呈し、その一部にボルト軸２の回転止めとしての切欠面２３１，２３１が設けられている。
【００１７】
この例において、切欠面２３１，２３１は軸線を挟んで対称位置に設けられた一対の平坦面からなるが、カバー４の回転止めとして機能すればその形状や設置数は任意であってよい。
【００１８】
フランジ部２３の半径方向の端面（外周面）は、厚さ方向の中心Ｌを頂部として、頂部から軸方向の両側面に向かって徐々に半径長さが短くなるように形成されていることが好ましい。この例では円弧状に形成されている。
【００１９】
アジャストナット３は、例えばナイロンなどの合成樹脂の成形品からなり、ボルト軸２の下部雄ネジ２２にねじ込まれるネジ孔３２を有するナット本体３１と、ナット本体３１の下端側を覆うように取り付けられ、被設置面に接触する脚ベース３３とを備えている。
【００２０】
脚ベース３３は、例えばステンレス合金板をプレス形成したものからなり、ナット本体３１の下端に沿って差し込み可能な断面コ字状の有底な筒状に形成されている。脚ベース３３の外周面は、アジャストナット３を回転させる際にスパナなどが差し込まれるように多角形状に形成されていることが好ましく、この例では六角形状に形成されている。
【００２１】
アジャストナット３は、アジャストナット３を回転させることにより、ボルト軸２が上下動して、厨房機器と被設置面との間の相対的な長さ（高さ）を調節することができる基本形態を備えていればよい。
【００２２】
カバー４は、ナイロンなどの硬質な合成樹脂の成形品からなり、インサート成形によってボルト軸２に同軸的に取り付けられている。カバー４は、上端が厨房機器の取付面に対向する水平な支持面４１を有し、支持面４１の中央から上部雄ネジ２１が突出している。
【００２３】
カバー４は、内部がアジャストナット３の外周面よりも大きな内径を有する円筒状を呈し、外周面が上端から下端に向かうにつれてその外径が徐々に小さくなるように形成されている。
【００２４】
カバー４の外周面は、厨房機器用取付脚１を厨房機器に取り付ける際に、全体を手で掴みやすくするため、多角形状に形成されており、その上端側には、レンチやスパナなどの工具が差し込まれるナット面４２が形成されている。この例において、ナット面４２は、図１（ｂ）に示すように、八角形状である。
【００２５】
図３（ａ）に示すように、カバー４はフランジ部２３を一方の側面２３ａ（図３（ａ）では下面）を支持する第１フランジ固着部４３と、フランジ部２３の他方の側面２３ｂ（図３（ａ）では上面）を支持する第２フランジ固着部４４とによって挟まれるようにして固定されている。
【００２６】
本発明において、フランジ部２３の側面２３ａ，２３ｂとは、フランジ部２３の厚さ方向の中心線Ｌを境界線として、中心線Ｌからフランジ部２３の軸方向の各側面２３ａ，２３ｂに至るまでの部位をいう。
【００２７】
すなわち、図３（ａ）において、第１フランジ固着部４３は、フランジ部２３端面の凸曲面の半径をＲとしたとき、頂部２３１から半径方向に０．３×Ｒとなる位置で止められている。これによれば、カバー４を最小限の保持力でボルト軸２に固定することができる。
【００２８】
より強固に固定したい場合には、図３（ｂ）に示すように、フランジ部２３の下端面２３ａに沿って第１フランジ固着部４３を延設してもよい。
【実施例】
【００２９】
次に、本発明の具体的な実施例について比較例とともに比較検討する。まず、厨房機器用取付脚を作製する。同一形状の金属製のボルト軸を用意し、各ボルト軸に各実施例および比較例のカバーをインサート成形によって一体的に成形する。
【００３０】
〔ボルト抜け試験〕
図４に示すように、作製された各厨房機器用取付脚１のボルト軸２とカバー４の打抜に係る押圧力を測定する。まず、カバー４の下端の一部を切断する。次に、下部雄ネジ２２を専用の打ち抜き用治具５の打抜孔５１に差し込んだのち、上部雄ネジ２１の上端から所定の押圧力を加えて、ボルト軸２が抜ける押圧力を合計３回測定し、その平均値を算出する。
【００３１】
〔破壊トルク試験〕
各サンプルの厨房機器用取付脚１の上部雄ネジ２１を所定の固定治具に固定し、仮想取付状態とする。次に、カバー４のナット面４２にスパナをかけ、スパナの他端にバネ秤を取り付けて、スパナを回転させてゆき、ボルト軸とカバーとの回転方向の破壊トルクを合計３回測定し、その平均値を算出する。
【００３２】
〔総合評価〕
上記ボルト抜け試験および破壊トルク試験の結果および使用感を踏まえて、実施例１および比較例１の総合評価を行う。分解性も良好で、通常使用にも支障がないものを◎、分解性に若干難があるものを○、分解しにくいものを△、分解が困難であるものを×とした。
以下に、実施例および比較例の厨房機器用取付脚の仕様と測定結果を示す。
【００３３】
《実施例１》
〔第１フランジ固着部肉厚〕Ｒ部
〔ボルト抜け試験（ｋｇｆ）〕１回目：８０，２回目：１００，３回目：１００，平均：９３
〔破壊トルク試験（Ｎ・ｍ）〕１回目：８，２回目：７．５，３回目：８，平均：８
〔総合評価〕◎
【００３４】
〈比較例１〉
〔第１フランジ固着部肉厚〕３．０ｍｍ
〔ボルト抜け試験（ｋｇｆ）〕１回目：４６０，２回目：４６０，３回目：４８０，平均：４６７
〔破壊トルク試験（Ｎ・ｍ）〕１回目：２５，２回目：２６，３回目：２３，平均：２５
〔総合評価〕×
【００３５】
実施例１および比較例１の結果を表１に示す。
【００３６】
【表１】
0005303201.tif 000002
【００３７】
これにより、本発明にれば、ボルト抜き作業が容易に行えることが分かる。
【００３８】
本発明において、厨房機器用取付脚１は、厨房機器として用いられるものであれば、種々のものに適用可能である。すなわち、冷蔵庫やコールドテーブル、食洗機だけでなく、浄水器やショーケースなどにも厨房環境で用いられるものであれば、各種に適用可能である。
【図面の簡単な説明】
【００３９】
【図１】本発明の一実施形態に係る厨房機器用取付脚の（ａ）部分断面図および（ｂ）平面図。
【図２】上記厨房機器用取付脚のボルト軸の（ａ）部分拡大正面図および（ｂ）部分拡大平面図。
【図３】（ａ），（ｂ）ボルト軸とカバーの固定状態を示す要部断面図。
【図４】ボルト抜け試験の試験方法を説明する説明図。
【符号の説明】
【００４０】
１  厨房機器用取付脚
２  ボルト軸
２１  上部雄ネジ
２２  下部雄ネジ
２３  フランジ部
３  アジャストナット
４  カバー
４１  支持面
４２  ナット面
４３  第１フランジ固着部
４４  第２フランジ固着部
【図１】
0005303201.tif 000003
【図２】
0005303201.tif 000004
【図３】
0005303201.tif 000005
【図４】
0005303201.tif 000006